(57)【要約】      （修正有）【課題】包材の無駄を少なくした包装体を提供する。【解決手段】包装体Ｐは、ウエット又はドライのシートが収納されると共に、シートを取り出す取り出し口を備えた本体１であって、本体１は包材同士がシールされた縦シール部１２と、この縦シール部１２の延びる方向へ間隔を開けた位置で前記包材同士がシールされた横シール部１３、１３とを有し、縦シール部１２の包材同士の内、一方の包材の縦縁部１２ａは他方の包材の縦縁部１２ｂより張り出す張り出し部１２Ａが形成され、この張り出し部１２Ａの縦縁部１２ａは、他方の包材の縦縁部１２ｂの略全体に亘って沿うように設けられ、手などを挿通できる挿通部１４は、張り出し部１２Ａの長手方向に沿うように張り出し部１２Ａに形成されているものである。【選択図】図１
2010247867.tif 000002
【特許請求の範囲】
【請求項１】
ウエット又はドライのシートが収納されると共に、前記シートを取り出す取り出し口を備えた本体であって、
前記本体は包材同士がシールされた縦シール部と、この縦シール部の延びる方向へ間隔を開けた位置で前記包材同士がシールされた横シール部とを有し、
前記縦シール部の包材同士の内、一方の包材の縦縁部は他方の包材の縦縁部より張り出す張り出し部が形成され、
この張り出し部の縦縁部は、前記他方の包材の縦縁部の略全体に亘って沿うように設けられ、
手などを挿通できる挿通部は、前記張り出し部の長手方向に沿うように前記張り出し部に形成されている
ことを特徴とする包装体。
【請求項２】
張り出し部は、縦シール部に向かって折られると共に、折られた前記張り出し部の両端部が当接する前記縦シール部の部位に接合されている
ことを特徴とする請求項１記載の包装体。
【請求項３】
ウエット又はドライのシートが収納されると共に、前記シートを取り出す取り出し口を備えた本体であって、
前記本体は包材同士がシールされた縦シール部と、この縦シール部の延びる方向へ間隔を開けた位置で前記包材同士がシールされた横シール部とを有し、
手などを挿通できる挿通部は、前記縦シール部の長手方向に沿うように前記縦シール部に形成されている
ことを特徴とする包装体。
【請求項４】
縦シール部は、該縦シール部の長手方向に沿って折られると共に、折られた前記縦シール部の両端部が当接する前記縦シール部の部位に接合されている
ことを特徴とする請求項３記載の包装体。
【請求項５】
挿通部は、予めスリット状に穴が開けられているか、又は、切込みが断続して不連続にミシン目状に設けてあるかの何れかである
ことを特徴とする請求項１〜４のいずれか１項に記載の包装体。
【発明の詳細な説明】
【技術分野】
【０００１】
本発明は、手等に装着して使用できる包装体に係り、特に、包材の無駄を少なくした包装体に関する。
【背景技術】
【０００２】
使用者が手等に装着して使用できる携帯用包装体がある（例えば、特許文献１参照）。
この携帯用包装体は、包材どうしがシールされた縦シール部と、前記縦シール部の延びる方向へ間隔を開けた位置で前記包材どうしがシールされた横シール部とを有し、前記縦シール部から前記包材の一部が横方向に延びて帯状体が形成されており、この帯状体の端部が前記縦シール部と間隔を開けた位置で包装体に接合されて、前記包装体と前記帯状体との間に、ベルトなどを挿通できる挿通部が形成されているものである。
【先行技術文献】
【特許文献】
【０００３】
【特許文献１】特許第３６５９８０４号公報  図１参照
【発明の概要】
【発明が解決しようとする課題】
【０００４】
しかしながら、従来の携帯用包装体にあっては、帯状体が縦シール部の中途の一部から張り出しているため、帯状体の上と下に位置する包材は切り落とされねばならず、該包材が無駄となっていた。
また、従来の携帯用包装体にあっては、挿通部を大きく取るために、縦シール部を帯状体が接合された側部と反対側の側部に近づけなければならないという制約を受けるという問題点もあった。
【０００５】
本発明は、上記の問題点を除去するようにした包装体を提供することを目的とする。
【課題を解決するための手段】
【０００６】
請求項１記載の包装体は、ウエット又はドライのシートが収納されると共に、前記シートを取り出す取り出し口を備えた本体であって、前記本体は包材同士がシールされた縦シール部と、この縦シール部の延びる方向へ間隔を開けた位置で前記包材同士がシールされた横シール部とを有し、前記縦シール部の包材同士の内、一方の包材の縦縁部は他方の包材の縦縁部より張り出す張り出し部が形成され、この張り出し部の縦縁部は、前記他方の包材の縦縁部の略全体に亘って沿うように設けられ、手などを挿通できる挿通部は、前記張り出し部の長手方向に沿うように前記張り出し部に形成されているものである。
【０００７】
また、請求項２記載の包装体は、請求項１記載の包装体において、張り出し部は、縦シール部に向かって折られると共に、折られた前記張り出し部の両端部が当接する前記縦シール部の部位に接合されているものである。
【０００８】
また、請求項３記載の包装体は、ウエット又はドライのシートが収納されると共に、前記シートを取り出す取り出し口を備えた本体であって、前記本体は包材同士がシールされた縦シール部と、この縦シール部の延びる方向へ間隔を開けた位置で前記包材同士がシールされた横シール部とを有し、手などを挿通できる挿通部は、前記縦シール部の長手方向に沿うように前記縦シール部に形成されているものである。
【０００９】
また、請求項４記載の包装体は、請求項３記載の包装体において、縦シール部は、該縦シール部の長手方向に沿って折られると共に、折られた前記縦シール部の両端部が当接する前記縦シール部の部位に接合されているものである。
【００１０】
また、請求項５記載の包装体は、請求項１〜４のいずれか１項に記載の包装体において、挿通部は、予めスリット状に穴が開けられているか、又は、切込みが断続して不連続にミシン目状に設けてあるかの何れかである。
【発明の効果】
【００１１】
従来の携帯用包装体にあっては、帯状体（張り出し部）が縦シール部の中途に張り出しているため、帯状体（張り出し部）に使用されない包材は無駄となっていたが、
請求項１記載の包装体によれば、従来のように張り出し部（帯状体）が縦シール部の中途ではなく、縦シール部の全体に亘って張り出し、該張り出し部の縦縁部は、前記他方の包材の縦縁部の略全体に亘って沿うように設けられ、手などを挿通できる挿通部は、前記張り出し部の長手方向に沿うように前記張り出し部に形成されているため、包材の材料取りの無駄を少なくすることができる。
また、従来の携帯用包装体にあっては、挿通部を大きく取るためには、縦シール部を極力本体の一方の側部に近い位置にしなければならない制約を受けるが、
請求項１記載の携帯用包装体にあっては、挿通部は、張り出し部の長手方向に沿うように前記張り出し部に形成されているため、前述した制約を受けない等の効果を有する。
【００１２】
また、請求項２記載の包装体によれば、上述した請求項１記載の発明の効果に加え、張り出し部は、縦シール部に向かって折られると共に、折られた前記張り出し部の両端部が当接する前記縦シール部の部位に接合されているため、張り出し部がめくれたりすることがないと共に、手などを挿通できる挿通部の強度をも強くすることができる。
【００１３】
従来の携帯用包装体にあっては、帯状体（張り出し部）が縦シール部の中途に張り出しているため、帯状体（張り出し部）に使用されない包材は無駄となっていたが、
請求項３記載の包装体によれば、手などを挿通できる挿通部は、縦シール部の長手方向に沿うように前記縦シール部に形成されているため、包材の材料取りの無駄を少なくすることができる。
また、従来の携帯用包装体にあっては、挿通部を大きく取るためには、縦シール部を極力一方の側部に近い位置にしなければならない制約を受けるが、
請求項３記載の包装体にあっては、手などを挿通できる挿通部は、縦シール部の長手方向に沿うように前記縦シール部に形成されているため、前述した制約を受けない等の効果を有する。
更に、請求項３の包装体は、挿通部が形成される縦シール部は二重の包材で形成されているため、請求項１の包装体の挿通部に比べ、挿通部の強度を強固にすることができる等の効果を有する。
【００１４】
また、請求項４記載の包装体によれば、上述した請求項３記載の発明の効果に加え、縦シール部は、該縦シール部の長手方向に沿って折られると共に、折られた前記縦シール部の両端部が当接する前記縦シール部の部位に接合されているため、挿通部を有する縦シール部がめくれたりすることがないと共に、手などを挿通できる挿通部の強度をも強くすることができる。
【図面の簡単な説明】
【００１５】
【図１】図１は、本発明の一実施例の包装体の概略的斜視図である。
【図２】図２は、図１の２−２線による概略的断面図である。
【図３】図３は、図１の包装体を手に装着する状態を示す概略的側面図である。
【図４】図４は、図３の包装体の装着後の状態を手のひらの側から見た概略的図である。
【図５】図５は、図４の包装体を手の甲の側から見た概略的図である。
【図６】図６は、図１の包装体と異なる他の実施例の包装体の概略的斜視図である。
【図７】図７は、図６の包装体と異なる他の実施例の包装体の概略的斜視図である。
【図８】図８は、図７の包装体の張り出し部の両端が接合される前の状態を示す概略的斜視図である。
【図９】図９は、図７の包装体の折られた張り出し部を折られた側と反対の側に広げた状態の概略的側面図である。
【図１０】図１０は、図９の包装体を手に装着する状態を示す概略的側面図である。
【図１１】図１１は、図７の包装体と異なる他の実施例の包装体の概略的斜視図である。
【図１２】図１２は、図１１の１２−１２線による概略的断面図である。
【図１３】図１３は、図１１の包装体と異なる他の実施例の包装体の概略的斜視図である。
【図１４】図１４は、図１３の包装体の縦シール部の両端が接合される前の状態を示す概略的斜視図である。
【図１５】図１５は、図１４の包装体の折られた縦シール部を折られた側と反対の側に広げた状態の概略的側面図である。
【図１６】図１６は、図１５の包装体を手に装着する状態を示す概略的側面図である。
【発明を実施するための形態】
【００１６】
本発明の一実施例の包装体を図面を参照して説明する。
（実施例１）
図１〜図５に示すＰは、手等に装着して使用できる包装体で、包装体Ｐは、ウエット又はドライのシート１５（例えば、ウエットティッシュ）が数10枚程度収納されると共に、シート１５を取り出す取り出し口１１（図５参照）を備えた本体（包装体）１を有している。取り出し口１１は蓋１６（図２参照）により閉じられており、使用時に蓋１６を取って取り出し口１１を開放するものである。
本体（包装体）１は柔らかい包材で袋状に形成され、包材同士がシールされた縦シール部１２と、この縦シール部１２の延びる方向へ間隔を開けた位置で前記包材同士がシールされた横シール部１３、１３とを有している。
そして、縦シール部１２の包材同士の内、一方の包材の縦縁部１２ａは他方の包材の縦縁部１２ｂより張り出す張り出し部１２Ａが形成されている。この張り出し部１２Ａの縦縁部１２ａは、他方の包材の縦縁部１２ｂの略全体に亘って沿うように、例えば、略平行に設けられている。なお、包材同士のシールは、例えば、周知のヒートシールで行う。
また、張り出し部１２Ａには、手などを挿通できる挿通部１４が形成されている。
この挿通部１４は、図３〜図５に示すようにして、挿通部１４に手を通して、図示しないが、例えば、左手で乳児の足を持ち、取り出し口１１から右手でシート１５を取り出し、乳児のお尻を容易に拭くことができるものである。
上記の挿通部１４は、図１に示すように、予めスリット状に穴１４が開けられていても良いし、また、図６に示すように切込み１４’が断続して不連続にミシン目状に設けられても良い。この場合、使用するときに、断続的な切込み１４’を破断してスリット状の穴に形成することができる。なお、本実施例においては、挿通部１４に手を入れ装着した例を示したが、本願発明はこれに限らず、挿通部１４にバンド（図示せず）を通して、身につけるようにしても良い。
【００１７】
即ち、従来の携帯用包装体にあっては、帯状体（張り出し部）が縦シール部の中途に張り出しているため、帯状体（張り出し部）に使用されない包材は無駄となっていたが、
本実施例の包装体Ｐによれば、従来のように張り出し部（帯状体）が縦シール部の中途ではなく、縦シール部１２の全体に亘って張り出し、該張り出し部１２Ａの縦縁部１２ａは、他方の包材の縦縁部１２ｂの略全体に亘って沿うように設けられ、手などを挿通できる挿通部１４は、張り出し部１２Ａの長手方向に沿うように張り出し部１２Ａに形成されているため、包材の材料取りの無駄を少なくすることができる。
また、従来の携帯用包装体にあっては、挿通部を大きく取るためには、縦シール部を極力本体の一方の側部に近い位置にしなければならない制約を受けるが、
本実施例の包装体Ｐにあっては、挿通部１４は、張り出し部１２Ａの長手方向に沿うように張り出し部１２Ａに形成されているため、前述した制約を受けない等の効果を有する。
【００１８】
（実施例２）
上述した実施例１においては、張り出し部１２Ａは、張り出しのままの状態で放置されているが、次に示す実施例（図７〜図１０）は、図８に示すように張り出し部１２Ａは、縦シール部１２に向かって折られると共に、折られた張り出し部１２Ａの両端部Ａ、Ｂが当接する縦シール部１２の部位Ａ’、Ｂ’に接合されるようになっている（図７及び図８参照）。接合は、例えば、周知のヒートシールで行うもので、接合される部位は、図７に斜線で示すＡ、Ｂである。
従って、包装体Ｐを手に装着する場合には、図９に示すように、折られた張り出し部１２Ａを矢印方向に広げ、挿通部１４に手を挿通することができ、上述した実施例１と同様に、包材の材料取りの無駄を少なくすることができ、また、挿通部１４は縦シール部１４の横方向の位置に制約を受けない等の効果を有する。
加えて、折られた張り出し部１２Ａの両端部Ａ、Ｂは、縦シール部１４に接合されているため、上述した実施例１に比べ、張り出し部１２Ａがめくれたりすることがないと共に、手などを挿通できる挿通部１４の強度をも強くすることができる。
なお、本実施例においては、上述した実施例１と同一部分に同一符号を付して説明の一部を省略する。
【００１９】
上述した実施例１、２においては、縦シール部１２の包材同士の内、一方の包材の縦縁部１２ａは他方の包材の縦縁部１２ｂより張り出す張り出し部１２Ａが形成されるようにしたが、次に示す実施例においては、縦シール部１２の包材同士の内、一方の包材の縦縁部１２ａと他方の包材の縦縁部１２ｂとを同面としても良い（図１１〜図１６）。
（実施例３）
図１１及び図１２に示す包装体Ｐは、実施例１の他方の包材の縦縁部１２ｂを一方の包材の縦縁部１２ａまで延ばし、縦シール部１２の包材同士の内、一方の包材の縦縁部１２ａと他方の包材の縦縁部１２ｂとを同面としたものである（図１２参照）。
手などを挿通できる挿通部１４は、縦シール部１２の長手方向に沿うように縦シール部１２に形成されている。
この図１１及び図１２記載の包装体Ｐは、上述した実施例１と同様な効果を有すると共に、挿通部１４が形成される縦シール部１２は二重の包材で形成されているため、上述した実施例１の包装体Ｐの挿通部１４（図２参照）に比べ、挿通部１４（図１２参照）の強度を強固にすることができる等の効果を有する。
なお、本実施例においては、上述した実施例１、２と同一部分に同一符号を付して説明の一部を省略する。
【００２０】
（実施例４）
図１３〜図１６に示す包装体Ｐは、実施例２の他方の包材の縦縁部１２ｂを一方の包材の縦縁部１２ａまで延ばし、縦シール部１２の包材同士の内、一方の包材の縦縁部１２ａと他方の包材の縦縁部１２ｂとを同面とすると共に、縦シール部１２は、図１４に示すように、該縦シール部１２の長手方向に沿って折られると共に、折られた縦シール部１２の両端部Ｃ、Ｄが当接する縦シール部１２の部位Ｃ’、Ｄ’に接合されるようにしたものである（図１３参照）。
なお、手などを挿通できる挿通部１４は、上述した実施例３と同様に、縦シール部１２の長手方向に沿うように縦シール部１２に形成されている。
この図１３〜図１６記載の包装体Ｐは、上述した実施例３と同様な効果を有すると共に、縦シール部１２は、該縦シール部１２の長手方向に沿って折られると共に、折られた縦シール部１２の両端部Ｃ、Ｄが当接する縦シール部１２の部位Ｃ’、Ｄ’に接合されているため、挿通部１４を有する縦シール部１２がめくれたりすることがないと共に、手などを挿通できる挿通部１４の強度をも強くすることができる。
なお、本実施例においては、上述した実施例１、２、３と同一部分に同一符号を付して説明の一部を省略する。
【符号の説明】
【００２１】
Ｐ      包装体
１      本体
１ａ    一方の端部
１ｂ    他方の端部
１１    取り出し口
１２    縦シール部
１２Ａ  張り出し部
１２ａ  一方の包材の縦縁部
１２ｂ  他方の包材の縦縁部
１３    横シール部
１４    挿通部
１５    シート
【図１】
2010247867.tif 000003
【図２】
2010247867.tif 000004
【図３】
2010247867.tif 000005
【図４】
2010247867.tif 000006
【図５】
2010247867.tif 000007
【図６】
2010247867.tif 000008
【図７】
2010247867.tif 000009
【図８】
2010247867.tif 000010
【図９】
2010247867.tif 000011
【図１０】
2010247867.tif 000012
【図１１】
2010247867.tif 000013
【図１２】
2010247867.tif 000014
【図１３】
2010247867.tif 000015
【図１４】
2010247867.tif 000016
【図１５】
2010247867.tif 000017
【図１６】
2010247867.tif 000018